(57)【特許請求の範囲】
【請求項１】
太陽電池アレイ用架台へ日射計を取付ける日射計取付け具において、長孔付きのチャンネル材からなり太陽電池用のモジュールを支持するＬ形鋼状の主材の端部に重ねて装着される主材取付けチャンネルと、該主材取付けチャンネルの長手端部内に挿入して固定される差込腕を有し日射計を載置固定せしめる固定プレートが形成された日射計取付け金具と、前記主材取付けチャンネルの長手側面に沿った開口部に装着され、該主材取付けチャンネルを前記主材に固定する振れ止め金具とが設けられたことを特徴とする太陽電池アレイ用架台への日射計取付け具。
【請求項２】
前記主材取付けチャンネルは、逆Ｌ字形状に設置された前記主材の天板下面に、長孔を設けた側面が当接するように装着され、前記モジュールを前記主材に連結する連結ボルトで天板に固定するように設けた請求項１記載の太陽電池アレイ用架台への日射計取付け具。
【請求項３】
前記振れ止め金具は、前記主材取付けチャンネルの下方を向いた開口部に装着され、該開口部のリップ部に係止する係止ナットと、該係止ナットに固定ボルトでネジ止めされ開口部の外側面がわに当接する当接片と、該当接片の一端部から延長され逆Ｌ字形状に設置された前記主材の側板下端部に係止片する係止片とが設けられた請求項１記載の太陽電池アレイ用架台への日射計取付け具。
【請求項４】
前記日射計取付け金具の前記固定プレートは、数種類の日射計の取付けをするように径やピッチが異なる複数個のネジ孔が設けられた請求項１記載の太陽電池アレイ用架台への日射計取付け具。
【発明の詳細な説明】
【技術分野】
【０００１】
本発明は、太陽電池アレイを支持する架台に日射計を取付けるのに好適な太陽電池アレイ用架台への日射計取付け具に係り、架台を構成する主材に、モジュールと共に装着することができる太陽電池アレイ用架台への日射計取付け具に関する。
【背景技術】
【０００２】
図５に示す如く、太陽電池アレイを支持する太陽電池アレイ用架台に、日射計Ｑを取付ける場合、従来では、図６に示す如く、モジュールＰを取付ける主材１の端部にアングル材１００を連結し、次に、このアングル材１００の上面に日射計Ｑ取付け用のプレート２００を連結し、このプレート２００に日射計Ｑを取付けるものであった。
【０００３】
特許文献１に太陽光電池アレイ架台の固定方法が記載されている。この架台では、Ｈ鋼チャンネルベースで太陽光電池アレイ架台を支持するものである。例えばこの架台に全天日射計を取付ける場合、従来では、架台の端部に、図６に示すアングル材１００を連結し、次に、このアングル材１００の上面に日射計取付け用のプレート２００を連結するといった手段になる。
【特許文献１】特開平７−１８３５５７号公報
【発明の開示】
【発明が解決しようとする課題】
【０００４】
ところが、太陽光電池アレイ用架台に全天日射計を取付ける場合には、従来の取り付け手段では、次のａ.乃至e.のような理由から多くの手間と時間を要するものであった。
【０００５】
ａ.架台設計時に日射計取付け位置が決まっていないことが多く、アングル材や日射計取付け用のプレートの設計ができず、現場での場当り的作業となって、装着作業に多くの手間を要すること。
ｂ.設計時に日射計の取付け位置が決定している場合でも、架台組上げ時に日照場所(日の当たり易さ)や配線状況によって設計時の箇所に取付けできないケースがあること。
ｃ.架台を組み上げた後で、日射計の取付け位置を変更する場合は、日射計取付け用のアングル材やプレート等を交換するために、その部分のモジュールや配線等を一旦外した上で日射計取付け用のアングル材やプレート等を取替える作業を要すること。
ｄ.取付け位置を変更した際に、現場で孔あけ作業をするには、施工場所が建物の屋上であることから、電動工具の電源の用意が困難になり、また、加工時の切りくず等が防水シートを損傷させるおそれがあるなどの理由で、現場での孔あけ作業が敬遠される傾向にあること。
e.架台検査時において、架台部材には組み立て用以外の孔は不必要な孔とみなされ、検査官から不必要な孔を埋めるように指摘を受けるので、日射計取付け用のアングル材やプレート等の設計は、モジュールを支持する主材等とは別途の設計が必要であること。
【０００６】
そこで本発明は上述の課題を解消すべく創出されたもので、日射計の取付け作業が架台の設計や組上げ作業に左右されず、架台組上げ後でも、日射計の取り付けや位置変更が容易に行え、しかも、施工現場によって寸法が変わる架台でも取り付けることができる太陽電池アレイ用架台への日射計取付け具の提供を目的とするものである。
【課題を解決するための手段】
【０００７】
上述の目的を達成すべく本発明における第１の手段は、太陽電池アレイ用架台へ日射計Ｑを取付ける日射計取付け具において、長孔１１付きのチャンネル材からなり太陽電池用のモジュールＰを支持するＬ形鋼状の主材１の端部に重ねて装着される主材取付けチャンネル１０と、該主材取付けチャンネル１０の長手端部内に挿入して固定される差込腕２１を有し日射計Ｑを載置固定せしめる固定プレート２２が形成された日射計取付け金具２０と、前記主材取付けチャンネル１０の長手側面に沿った開口部１２に装着され、該主材取付けチャンネル１０を前記主材１に固定する振れ止め金具３０とが設けられたことにある。
【０００８】
第２の手段の前記主材取付けチャンネル１０は、逆Ｌ字形状に設置された前記主材１の天板１Ａ下面に、長孔１１を設けた側面が当接するように装着され、前記モジュールＰを前記主材１に連結する連結ボルト２で天板１Ａに固定するように設けている。
【０００９】
第３の手段の前記振れ止め金具３０は、前記主材取付けチャンネル１０の下方を向いた開口部１２に装着され、該開口部１２のリップ部１３に係止する係止ナット３１と、該係止ナット３１に固定ボルト３２でネジ止めされ開口部１２の外側面がわに当接する当接片３３と、該当接片３３の一端部から延長され逆Ｌ字形状に設置された前記主材１の側板１Ｂ下端部に係止片する係止片３４とが設けられたものである。
【００１０】
第４の手段において、前記日射計取付け金具２０の前記固定プレート２２に、数種類の日射計Ｑの取付けをするように径やピッチが異なる複数個のネジ孔２２Ａを設けたことを課題解消のための手段とする。
【発明の効果】
【００１１】
本発明の請求項１によると、太陽電池用のモジュールＰを支持するＬ形鋼状の主材１の端部に装着した主材取付けチャンネル１０に、振れ止め金具３０と共に日射計取付け金具２０を装着し、日射計取付け金具２０に日射計Ｑを固定するものであるから、後付で設置可能になり、架台や主材１等の設計、あるいは組上げ作業に左右されずに日射計Ｑを取付けることができる。また、施工後に位置変更の必要がある場合でも、この変更に容易に対応することができる。更に、日射計取付け金具２０の差込腕２１により、日射計取付け金具２０の仮止めが可能であるから、装着作業も容易である。
【００１２】
また、請求項２により、モジュールＰを主材１に連結する連結ボルト２を利用して主材取付けチャンネル１０を固定するので、任意の主材１に取付けることができる。また、主材取付けチャンネル１０を固定するために、新たにボルトを用意する必要もなく、現場での加工を必要とせずに日射計Ｑを取付けることができる。しかも、この装着作業に孔開け作業は一切必要がなく、極めて容易な取付けが可能になった。また、どのような主材１に対しても、同様の主材取付けチャンネル１０を装着することができ、主材取付けチャンネル１０の長さを自由に調整できるので、前記モジュールＰを主材１に連結する連結ボルト２の利用も容易に行える。
【００１３】
請求項３の振れ止め金具３０は、主材取付けチャンネル１０の開口部１２のリップ部１３に係止する係止ナット３１と、開口部１２の外側面がわに当接する当接片３３と、主材１の側板１Ｂ下端部に係止片する係止片３４とが設けられたものであるから、振れ止め金具３０の装着が容易になり、しかも、主材１を利用して強固に固定するので、主材取付けチャンネル１０のグラツキや回転を防止することができる。
【００１４】
請求項４によると、前記日射計取付け金具２０の前記固定プレート２２に、数種類の日射計Ｑの取付けをできるように径やピッチが異なる複数個のネジ孔２２Ａを設けたことで、日射計Ｑの変更にも対応することができる。
【００１５】
このように、本発明によると、日射計の取付け作業が架台の設計や組上げ作業に左右されず、架台組上げ後でも、日射計の取り付けや位置変更が容易に行え、しかも、施工現場によって寸法が変わる架台でも取り付けることができるなどといった有益な種々の効果を奏するものである。
【発明を実施するための最良の形態】
【００１６】
本発明架台の最良の形態は、長孔１１付きのチャンネル材からなり太陽電池用のモジュールＰを支持するＬ形鋼状の主材１の端部に装着される主材取付けチャンネル１０を設ける。この主材取付けチャンネル１０は、逆Ｌ字形状に設置された前記主材１の天板１Ａ下面に、長孔１１を設けた側面が当接するように装着され、モジュールＰを主材１に連結する連結ボルト２に固定されるように設けられる。該主材取付けチャンネル１０の長手端部内に挿入して固定される差込腕２１を有し、日射計Ｑを載置固定せしめる固定プレート２２が形成された日射計取付け金具２０を設ける。固定プレート２２には、複数の日射計Ｑの取付けをするように径やピッチが異なる複数個のネジ孔２２Ａを設ける。前記主材取付けチャンネル１０の開口部１２に装着され、該主材取付けチャンネル１０を主材１に固定する振れ止め金具３０を設ける。この振れ止め金具３０は、前記主材取付けチャンネル１０の下方を向いた開口部１２に装着され、該開口部１２のリップ部１３に係止する係止ナット３１が設けられる。該係止ナット３１に固定ボルト３２でネジ止めされ開口部１２の外側面がわに当接する当接片３３が設けられる。該当接片３３の一端部から延長され逆Ｌ字形状に設置された前記主材１の側板１Ｂ下端部に係止片する係止片３４が設けられたことで、当初の目的を達成するものである。
【実施例】
【００１７】
以下、本発明の一実施例を説明する。本発明取付け具は、太陽電池アレイ用架台へ日射計Ｑを取付けるものであり、主材取付けチャンネル１０、日射計取付け金具２０、振れ止め金具３０を基本構成とする。
【００１８】
主材取付けチャンネル１０は、太陽電池用のモジュールＰを支持するＬ形鋼状の主材１の端部に重ねて装着される部材である。この主材取付けチャンネル１０はリップみぞ形鋼状のチャンネル材からなり、長手側面に多数の長孔１１が形成されたものである。この主材取付けチャンネル１０は、逆Ｌ字形状に設置された前記主材１の天板１Ａ下面に、長孔１１を設けた側面が当接するように装着する。そして、前記モジュールＰを前記主材１に連結する連結ボルト２で天板１Ａに固定するように設けている（図１参照）。図示例では、連結ボルト２を長孔１１に挿通し、主材取付けチャンネル１０の開口部１２から内部に配した固定ナット１４で固定している。
【００１９】
日射計取付け金具２０は、主材取付けチャンネル１０に連結する部材で、該主材取付けチャンネル１０の長手端部内に挿入して固定する差込腕２１と、日射計Ｑを載置固定せしめる固定プレート２２とを設けている（図２参照）。この差込腕２１は、主材取付けチャンネル１０の長手端部に嵌入する形状を成し、主材取付けチャンネル１０の長孔１１を通した連結ボルト２３を挿通せしめる挿通孔２４を設け、主材取付けチャンネル１０の開口部１２から内部に配された連結ナット２５にて連結するものである。一方、固定プレート２２には、数種類の日射計Ｑの取付けをするように径やピッチが異なる複数個のネジ孔２２Ａを設けている。
【００２０】
振れ止め金具３０は、主材取付けチャンネル１０を前記主材１に固定する金具である（図３参照）。この振れ止め金具３０は、係止ナット３１、固定ボルト３２、当接片３３、係止片３４で構成される。係止ナット３１は、主材取付けチャンネル１０の下方を向いた開口部１２に装着され該開口部１２のリップ部１３に係止されている（図４参照）。該係止ナット３１に固定ボルト３２でネジ止めされているのが当接片３３である。この当接片３３は、開口部１２の外側面がわに配設している。また、係止片３４は、逆Ｌ字形状の主材１の側板１Ｂ下端部に係止片する部材で、当接片３３の一端部から延長されている。
【００２１】
尚、本発明は、図示例に限定されるものではなく、主材取付けチャンネル１０や日射計取付け金具２０、振れ止め金具３０等の各構成部品の寸法や形状等の設計変更、および材質の変更など任意に行えるものであり、本発明の要旨を変更しない範囲において自由に変更できるものである。
【図面の簡単な説明】
【００２２】
【図１】本発明の主材取付けチャンネルの取り付け例を示す要部斜視図である。
【図２】本発明取付け具の装着状態を示す分解斜視図である。
【図３】本発明の振れ止め金具の装着状態を示す分解斜視図である。
【図４】本発明の装着状態を示す側面図である。
【図５】太陽電池アレイ用架台を示す側面図である。
【図６】従来の取付け例を示す分解斜視図である。
【符号の説明】
【００２３】
Ｐ  モジュール
Ｑ  日射計
１  主材
２  連結ボルト
１０  主材取付けチャンネル
１１  長孔
１２  開口部
１３  リップ部
１４  固定ナット
２０  日射計取付け金具
２１  差込腕
２２  固定プレート
２３  連結ボルト
２４  挿通孔
２５  連結ナット
３０  振れ止め金具
３１  係止ナット
３２  固定ボルト
３３  当接片
３４  係止片
【図１】
0004432091.tif 000002
【図２】
0004432091.tif 000003
【図３】
0004432091.tif 000004
【図４】
0004432091.tif 000005
【図５】
0004432091.tif 000006
【図６】
0004432091.tif 000007